(57)【要約】【課題】簡素な構成で、冷蔵室内に収容された食品等を適正に冷却することのできる庫内棚、および冷蔵庫を提供すること。【解決手段】冷蔵庫１の冷蔵室１０では、冷蔵室１０の奥から冷気が吹き出す。庫内棚６０は、中空体６０ａからなり、中空体６０ａの内部６０ｂと連通する第１開口部６１が、冷蔵室１０内の奥に位置する中空体６０ａの後端部６０ｅで開口し、中空体６０ａの内部６０ｂと連通する複数の第２開口部６２が、中空体６０ａの底部６０ｆで開口している。また、中空体６０ａの内部６０ｂと連通する第３開口部６３が、冷蔵室１０内の手前側に位置する中空体６０ａの前端部６０ｇで開口している。【選択図】図３
2017101864.tif 000002
【特許請求の範囲】
【請求項１】
冷蔵庫の冷蔵室に配置される庫内棚であって、
中空体からなり、
前記中空体の内部と連通する第１開口部が、前記冷蔵室内の奥に位置する前記中空体の後端部で開口し、
前記中空体の内部と連通する複数の第２開口部が、前記冷蔵室内で下方に向く前記中空体の底部で開口していることを特徴とする庫内棚。
【請求項２】
前記中空体の内部と連通する第３開口部が、前記冷蔵室内の手前に位置する前記中空体の前端部で開口していることを特徴とする請求項１に記載の庫内棚。
【請求項３】
前記中空体の内部と連通する第４開口部が、前記冷蔵室内の左右のうちの少なくとも一方側に位置する前記中空体の側端部で開口していることを特徴とする請求項１または２に記載の庫内棚。
【請求項４】
前記中空体は、樹脂製であることを特徴とする請求項１乃至３の何れか一項に記載の庫内棚。
【請求項５】
前記中空体は、金属製であることを特徴とする請求項１乃至３の何れか一項に記載の庫内棚。
【請求項６】
前記中空体は、前記底部を構成する第１板状部材と、前記第１板状部材に対して上側に重ねて配置された第２板状部材と、を備えていることを特徴とする請求項１乃至５の何れか一項に記載の庫内棚。
【請求項７】
冷蔵室と、
前記冷蔵室の奥から前記冷蔵室内に冷気を吹き出すための冷気通路と、
前記冷蔵室内に配置された庫内棚と、
を有し、
前記庫内棚は、中空体からなり、
前記中空体の内部と連通する第１開口部が、前記冷蔵室内の奥に位置する前記中空体の後端部で開口し、
前記中空体の内部と連通する複数の第２開口部が、前記冷蔵室内で下方に向く前記中空体の底部で開口していることを特徴とする冷蔵庫。
【発明の詳細な説明】
【技術分野】
【０００１】
本発明は、冷蔵庫の冷蔵室に配置される庫内棚、および前記庫内棚を備えた冷蔵庫に関するものである。
【背景技術】
【０００２】
冷蔵庫の冷蔵室には、庫内棚が設けられており、庫内棚の上に食品等が載置される。庫内棚は、冷蔵室の左右に設けられたレール等によって支持されている。かかる冷蔵庫において冷蔵室内の温度分布を改善するために、レールに冷気の吹き出し口を設けた構成が提案されている（特許文献１参照）。
【先行技術文献】
【特許文献】
【０００３】
【特許文献１】特開平１−３００１８０号公報
【発明の概要】
【発明が解決しようとする課題】
【０００４】
しかしながら、冷蔵室では、その奥から冷気を吹き出す構造が一般的であるため、特許文献１に記載の構成を実現するには、冷蔵庫全体の冷気通路の設計を大幅に見直す必要があり、冷気通路の構成が複雑化する。また、特許文献１に記載の構成を採用しても、冷蔵室内に大量の食品が収納された場合、冷蔵室内での冷気の流れが食品によって遮断されるため、冷蔵室内に収容された食品等を適正に冷却することのできないという問題点がある。
【０００５】
以上の問題点に鑑みて、本発明の課題は、簡素な構成で、冷蔵室内に収容された食品等を適正に冷却することのできる庫内棚、および冷蔵庫を提供することにある。
【課題を解決するための手段】
【０００６】
上記課題を解決するために、本発明は、冷蔵庫の冷蔵室に配置される庫内棚であって、中空体からなり、前記中空体の内部と連通する第１開口部が、前記冷蔵室内の奥に位置する前記中空体の後端部で開口し、前記中空体の内部と連通する複数の第２開口部が、前記冷蔵室内で下方に向く前記中空体の底部で開口していることを特徴とする。
【０００７】
また、本発明に係る冷蔵庫は、冷蔵室と、前記冷蔵室の奥から前記冷蔵室内に冷気を吹き出すための冷気通路と、前記冷蔵室内に配置された庫内棚と、を有し、前記庫内棚は、中空体からなり、前記中空体の内部と連通する第１開口部が、前記冷蔵室内の奥に位置する前記中空体の後端部で開口し、前記中空体の内部と連通する複数の第２開口部が、前記冷蔵室内で下方に向く前記中空体の底部で開口していることを特徴とする。
【０００８】
本発明では、庫内棚が中空体からなり、かかる中空体の内部と連通する第１開口部が中空体の後端部で開口し、中空体の内部と連通する複数の第２開口部が中空体の底部で開口している。このため、冷蔵室の奥から冷蔵室内に吹き出された冷気の一部は、第１開口部から庫内棚（中空体）の内部を通って第２開口部から放出される。このため、庫内ドアの下方に置かれた食品等に冷気を十分に供給することができる。また、庫内棚（中空体）の底部の第２開口部から冷気を放出する構成であれば、食品等が冷蔵室内に大量に収容されている場合でも、冷気を冷蔵室内の食品等に適正に供給することができる。それ故、簡素な構成で、冷蔵室内に収容された食品等を適正に冷却することができる。
【０００９】
本発明において、前記中空体の内部と連通する第３開口部が、前記冷蔵室内の手前に位置する前記中空体の前端部で開口している態様を採用することができる。かかる構成によれば、冷気を庫内棚（中空体）の内部を経由して、庫内棚の前側（冷蔵室内の手前側）の第３開口部から放出することができる。従って、冷蔵室の手前側では、冷蔵庫のドアを開くたびに温度が上昇するという事情があっても、冷蔵室の手前側を効率よく冷却することができる。
【００１０】
本発明において、前記中空体の内部と連通する第４開口部が、前記冷蔵室内の左右のうちの少なくとも一方側に位置する前記中空体の側端部で開口していることが好ましい。かかる構成によれば、食品等が大量に収容されている場合でも、冷気を冷蔵室内の側壁付近に効率よく供給することができる。
【００１１】
本発明において、前記中空体が樹脂製である態様を採用することができる。本発明において、前記中空体が金属製である態様を採用してもよい。中空体が金属製である場合、中空体（庫内棚）によって食品等を直接、冷却することができる。
【００１２】
本発明において、前記中空体は、前記底部を構成する第１板状部材と、前記第１板状部材に対して上側に重ねて配置された第２板状部材と、を備えていることが好ましい。かかる構成によれば、中空体を一体品で構成する場合に比較して、中空体の後端部や底部に開口部に設けた構成を効率よく製造することができる。
【発明の効果】
【００１３】
本発明では、庫内棚が中空体からなり、かかる中空体の内部と連通する第１開口部が中空体の後端部で開口し、中空体の内部と連通する複数の第２開口部が中空体の底部で開口している。このため、冷蔵室の奥から冷蔵室内に吹き出された冷気の一部は、第１開口部から庫内棚（中空体）の内部を通って第２開口部から放出される。このため、庫内ドアの下方に置かれた食品等に冷気を十分に供給することができる。また、庫内棚（中空体）の底部の第２開口部から冷気を放出する構成であれば、食品等が冷蔵室内に大量に収容されている場合でも、冷気を冷蔵室内の食品等に適正に供給することができる。それ故、簡素な構成で、冷蔵室内に収容された食品等を適正に冷却することができる。
【図面の簡単な説明】
【００１４】
【図１】本発明を適用した冷蔵庫においてドアを開いた状態を模式的に示す説明図である。
【図２】本発明を適用した冷蔵庫の縦断面を模式的に示す説明図である。
【図３】本発明を適用した冷蔵庫の冷蔵室の様子を模式的に示す説明図である。
【図４】本発明を適用した冷蔵庫の冷蔵室に配置した庫内棚の説明図である。
【図５】本発明を適用した冷蔵庫の冷蔵室に配置した庫内棚の別の構成例の説明図である。
【発明を実施するための形態】
【００１５】
図面を参照して、本発明を適用した冷蔵庫および庫内棚を説明する。以下の説明では、冷蔵庫の前後方向に矢印Ｈを付し、上下方向に矢印Ｖを付し、左右方向に矢印Ｓを付して説明する。また、前後方向Ｈにおいて、冷蔵庫の前側にＨＦを付し、後側にＨＢを付し、上下方向Ｖにおいて、冷蔵庫の下方側にＶＤを付し、上方側にＶＵを付し、左右方向Ｓにおいては、冷蔵庫に向かって右側にＳＲを付し、冷蔵庫に向かって左側にＳＬを付して説明する。
【００１６】
（冷蔵庫の全体構成）
図１は、本発明を適用した冷蔵庫１においてドア７０を開いた状態を模式的に示す説明
図である。図２は、本発明を適用した冷蔵庫１の縦断面を模式的に示す説明図である。
【００１７】
図１および図２に示すように、冷蔵庫１は、最も上方側ＶＵに冷蔵室１０が設けられ、冷蔵室１０の下方側ＶＤでは、冷凍温度や冷蔵温度を切り換えることのできる切替室２０と、製氷室３０とが左右に配列されている。切替室２０および製氷室３０の下方側ＶＤには、引き出しドアを備えた冷凍室４０が設けられ、冷凍室４０の下方側ＶＤには、引き出しドアを備えた野菜室８０が設けられている。冷蔵庫１の背面側（後側ＨＢ）には、各室を冷却するための冷却機構５０として、圧縮機５１、冷却器５２、送風ファン５３、および冷気通路５４等が設けられている。圧縮機５１および冷却器５２により作り出された冷気は、矢印Ａで示すように、送風ファン５３によって送風され、冷気通路５４を通って、冷凍室４０、切替室２０、製氷室３０、および冷蔵室１０に送風され、各室を冷却する。冷蔵室１０の冷気は、野菜室８０を通って冷却器５２に戻される。各室の温度は、各室に設置されたサーミスタ（図示せず）により検知され、予め設定された温度になるように、冷気通路５４に設置されたダンパ（図示せず）の開度、圧縮機５１の出力および送風ファン５３の送風量を調整することで制御される。
【００１８】
冷蔵室１０の奥には、冷気通路５４を区画する隔壁１１が設けられており、隔壁１１に設けられた開口部１２を介して、冷気通路５４から冷蔵室１０に冷気が吹き出される。本形態において、開口部１２は、上下方向Ｖの複数個所で開口している。上下方向Ｖにおいて、最も下方側ＶＤに位置する開口部１２と冷蔵室１０の底部１３との間にチルドケース１４および給水タンク１５が設けられている。
【００１９】
また、上下方向Ｖにおいて、開口部１２の間に相当する位置には、庫内棚６０が配置され、かかる庫内棚６０は、冷蔵室１０の左右の壁面に設けられたレール（図示せず）によって支持されている。開口部１２の数は、冷蔵室１０のサイズ等に応じて最適に設定され、図１および図２には、開口部１２が上下方向Ｖの４箇所で開口している形態が例示されている。従って、図１および図２に示す態様では、庫内棚６０が上下方向において３段に設けられている。
【００２０】
冷蔵室１０の前面には、ドア７０が設けられている。本形態において、ドア７０は、左右のドア７１、７２から構成されており、ドア７１、７２の内側にはポケット７３が設けられている。
（庫内棚６０の構成）
図３は、本発明を適用した冷蔵庫１の冷蔵室１０の様子を模式的に示す説明図である。図４は、本発明を適用した冷蔵庫１の冷蔵室１０に配置した庫内棚６０の説明図であり、図４（ａ）には、庫内棚６０を前方斜め上側からみた様子を模式的に示してあり、図４（ｂ）には、庫内棚６０を後方斜め下側からみた様子を模式的に示してある。
【００２１】
図３および図４に示すように、庫内棚６０は、内部が中空の平板状の中空体６０ａからなり、中空体６０ａの内部６０ｂと連通する第１開口部６１が、冷蔵室１０内の奥に位置する中空体６０ａの後端部６０ｅで開口している。本形態において、第１開口部６１は、中空体６０ａの後端部６０ｅにおいて、左右方向に延在するスリット状に開口している。すなわち、中空体６０ａは、下板部６０１、下板部６０１に対向する上板部６０２、下板部６０１の前端部と上板部６０２の前端部とを繋ぐ前板部６０３、下板部６０１の右端部と上板部６０２の右端部とを繋ぐ側板部６０４、および下板部６０１の左端部と上板部６０２の左端部とを繋ぐ側板部６０５を有しているが、下板部６０１の後端部と上板部６０２の後端部とを繋ぐ後板部が設けられておらず、中空体６０ａの後端部は開放端になっている。
【００２２】
また、庫内棚６０では、中空体６０ａの内部６０ｂと連通する複数の第２開口部６２が
、冷蔵室１０内で下方に向く中空体６０ａの底部６０ｆ（下板部６０１）で開口している。本形態において、複数の第２開口部６２は、中空体６０ａの底部６０ｆにマトリクス状に形成されている。
【００２３】
また、庫内棚６０では、中空体６０ａの内部６０ｂと連通する複数の第３開口部６３が、冷蔵室１０内の手前に位置する中空体６０ａの前端部６０ｇ（前板部６０３）で開口している。本形態において、複数の第３開口部６３は、中空体６０ａの前端部６０ｇで左右方向Ｓに１列に設けられている。なお、中空体６０ａの上面部６０ｈ（上板部６０２、右側の側端部６０ｉ（側板部６０４）、および左側の側端部６０ｊ（側板部６０５）には開口部が形成されていない。
【００２４】
（本形態の主な効果）
以上説明したように、本形態では、庫内棚６０が中空体６０ａからなり、かかる中空体６０ａの内部６０ｂと連通する第１開口部６１が中空体６０ａの後端部６０ｅで開口し、中空体６０ａの内部６０ｂと連通する複数の第２開口部６２が中空体６０ａの底部６０ｆで開口している。このため、冷蔵室１０の奥から冷蔵室１０内に吹き出された冷気の一部は、第１開口部６１から庫内棚６０（中空体６０ａ）の内部を通って第２開口部６２から放出される。従って、冷蔵庫１の冷気通路５４については冷蔵室１０内の奥から冷蔵室１０内に冷気を吹き出す構成のまま、庫内棚６０の下方に置かれた食品等に冷気を十分に供給することができる。また、庫内棚６０（中空体６０ａ）の底部６０ｆの第２開口部６２から冷気を放出するため、食品等が冷蔵室１０内に大量に収容されている場合でも、冷気を冷蔵室１０内の食品等に適正に供給することができる。それ故、簡素な構成で、冷蔵室１０内に大量の食品が収納された場合でも冷蔵室１０内の温度分布を改善することができ、冷蔵室１０内に収容された食品等を適正に冷却することができる。
【００２５】
また、本形態では、中空体６０ａの内部６０ｂと連通する複数の第３開口部６３が、冷蔵室１０内の手前に位置する中空体６０ａの前端部６０ｇで開口している。このため、冷気を庫内棚６０（中空体６０ａ）の内部６０ｂを経由して、庫内棚６０の前側（冷蔵室１０内の手前側）の第３開口部６３から放出することができる。従って、冷蔵室１０の手前側では、冷蔵庫１のドア７０を開くたびに温度が上昇するという事情があっても、冷蔵室１０の手前側を効率よく冷却することができる。
【００２６】
（庫内棚６０の別の構成例）
図５は、本発明を適用した冷蔵庫１の冷蔵室１０に配置した庫内棚６０の別の構成例の説明図であり、図５（ａ）には、庫内棚６０を前方斜め上側からみた様子を模式的に示してあり、図５（ｂ）には、庫内棚６０を後方斜め下側からみた様子を模式的に示してある。なお、本形態の基本的な構成は、図４を参照して説明した構成と同一であるため、共通する部分には同一の符号を付してそれらの詳細な説明を省略する。
【００２７】
図５に示すように、本形態の庫内棚６０も、図３および図４を参照して説明した庫内棚６０と同様、内部が中空の平板状の中空体６０ａからなり、中空体６０ａの内部６０ｂと連通する第１開口部６１が、冷蔵室１０内の奥に位置する中空体６０ａの後端部６０ｅで開口している。また、庫内棚６０では、中空体６０ａの内部６０ｂと連通する複数の第２開口部６２が、冷蔵室１０内で下方に向く中空体６０ａの底部６０ｆ（下板部６０１）で開口している。さらに、庫内棚６０では、中空体６０ａの内部６０ｂと連通する複数の第３開口部６３が、冷蔵室１０内の手前に位置する中空体６０ａの前端部６０ｇ（前板部６０３）で開口している。
【００２８】
さらに、本形態の庫内棚６０では、中空体６０ａの内部６０ｂと連通する複数の第４開口部６４が、冷蔵室１０内の左右のうちの少なくとも一方側に位置する中空体６０ａの側
端部で開口している。本形態では、中空体６０ａの右側の側端部６０ｉ（側板部６０４）で第４開口部６４が開口しているとともに、中空体６０ａの左側の側端部６０ｊ（側板部６０５）でも第４開口部６４が開口している。本形態において、複数の第４開口部６４は、中空体６０ａの側端部６０ｉ、６０ｊで前後方向Ｈに１列に設けられている。
【００２９】
このため、冷蔵室１０の奥から冷蔵室１０内に吹き出された冷気の一部は、第１開口部６１から庫内棚６０（中空体６０ａ）の内部を通って第２開口部６２および第３開口部６３から放出されるとともに、第４開口部６４からも放出される。従って、食品等が大量に収容されている場合でも、冷気を冷蔵室１０内の側壁付近に効率よく供給することができる。
【００３０】
（庫内棚６０の材質）
本形態の庫内棚６０（中空体６０ａ）については樹脂製あるいは金属製とすることができる。庫内棚６０を樹脂製とした場合、庫内棚６０の軽量化を図ることができる。これに対して、庫内棚６０を金属製とした場合、熱伝導性が高いので、庫内棚６０によって食品等を直接、冷却することができる。
【００３１】
（庫内棚６０の製造方法）
図３、図４および図５を参照して説明した庫内棚６０（中空体６０ａ）については、下板部６０１、上板部６０２、前板部６０３、側板部６０４、および側板部６０５が一体となった部材を用いることができる。
【００３２】
また、図４および図５に示すように、底部６０ｆを構成する第１板状部材６０８と、第１板状部材６０８に対して上側に重ねて配置された第２板状部材６０９とを連結した構造を採用してもよい。この場合、例えば、下板部６０１、前板部６０３、側板部６０４、および側板部６０５が一体に設けられた第１板状部材６０８に対して、上板部６０２を構成する第２板状部材６０９を連結した構造を採用することができる。また、上板部６０２、前板部６０３、側板部６０４、および側板部６０５が一体に設けられた第２板状部材６０９に対して、下板部６０１を構成する第１板状部材６０８を連結した構造を採用してもよい。
【００３３】
（他の実施の形態）
上記実施の形態において、第２開口部６２、第３開口部６３、および第４開口部６４の形状や円形であったが、角形であってもよい。
【００３４】
上記実施の形態において、複数の第３開口部６３は、中空体６０ａの前端部６０ｇで左右方向Ｓに１列に設けられていたが、スリット状に１つ形成されていてもよい。また、上記実施の形態において、複数の第４開口部６４は、中空体６０ａの側端部６０ｉ、６０ｊで前後方向Ｈに１列に設けられていたが、スリット状に１つ形成されていてもよい。
【符号の説明】
【００３５】
１…冷蔵庫、１０…冷蔵室、１１…隔壁、１２…開口部、５０…冷却機構、５４…冷気通路、６０…庫内棚、６０ａ…中空体、６０ｂ…内部、６０ｅ…後端部、６０ｆ…底部、６０ｇ…前端部、６０ｈ…上面部、６０ｉ、６０ｊ…側端部、６１…第１開口部、６２…第２開口部、６３…第３開口部、６４…第４開口部、６０１…下板部、６０２…上板部、６０３…前板部、６０４、６０５…側板部、６０８…第１板状部材、６０９…第２板状部材
【図１】
2017101864.tif 000003
【図２】
2017101864.tif 000004
【図３】
2017101864.tif 000005
【図４】
2017101864.tif 000006
【図５】
2017101864.tif 000007